(57)【要約】【課題】コイルバネを用い、回転するレンズ鏡筒を付勢するガタ取り機構において、コイルバネ端部のせん断面によるコイルバネとレンズ鏡筒間の引っ掛かりを無くしたレンズ装置を提供すること。【解決手段】保持部材と、 レンズ群を保持し前記保持部材に対して光軸周りに所定の角度で回転されるレンズ鏡筒と、前記保持部材と前記レンズ鏡筒の間に挟持され、前記保持部材又は前記レンズ鏡筒のどちらか一方と一体回転し、前記保持部材又は前記レンズ鏡筒の他方に設けられた複数の摺動面突起を所定の方向に付勢し、光軸を囲むように配置されたコイルバネと、を有する構成において、前記コイルバネ前記複数の摺動面突起側の終端部は、前記レンズ鏡筒が前記所定の角度で回転したとしても、前記複数の摺動面突起のうち光軸周りで隣り合った二つの摺動面突起の間に収まっていることを特徴とする。【選択図】  図２
2016029416.tif 000002
【特許請求の範囲】
【請求項１】
保持部材と、 
レンズ群を保持し前記保持部材に対して光軸周りに所定の角度で回転されるレンズ鏡筒と、
前記保持部材と前記レンズ鏡筒の間に挟持され、前記保持部材又は前記レンズ鏡筒のどちらか一方と一体回転し、前記保持部材又は前記レンズ鏡筒の他方に設けられた複数の摺動面突起を所定の方向に付勢し、光軸を囲むように配置されたコイルバネと、 
を有する構成において、 
前記コイルバネ前記複数の摺動面突起側の終端部は、前記レンズ鏡筒が前記所定の角度で回転したとしても、前記複数の摺動面突起のうち光軸周りで隣り合った二つの摺動面突起の間に収まっていることを特徴とするレンズ装置。
【請求項２】
前記コイルバネは前記保持部材又は前記レンズ鏡筒に設けられた嵌合穴に前記コイルバネの終端部が嵌ることで前記保持部材又は前記レンズ鏡筒と一体回転することを特徴とする請求項１に記載のレンズ装置。
【請求項３】
前記コイルバネは終端部がコイル巻き径の接線方向に延長されており、前記保持部材又は前記レンズ鏡筒に前記コイルバネの端部が引っ掛かることで前記保持部材又は前記レンズ鏡筒と一体回転することを特徴とする請求項１に記載のレンズ装置。
【請求項４】
前記保持部材又は前記レンズ鏡筒と一体回転する構成はコイルバネの両端部に設けられていることを特徴とする請求項１乃至請求項３の何れか一項に記載のレンズ装置。
【発明の詳細な説明】
【技術分野】
【０００１】
本発明は、レンズ鏡筒と該レンズ鏡筒を駆動するカムとのガタを抑制する構造を備えたレンズ装置に関し、特にコイルバネを用いてガタを抑制するレンズ装置に関するものである。
【背景技術】
【０００２】
従来、レンズ鏡筒はネジ、ヘリコイド、カムといった機構を用いてズーミングやフォーカシングを行っている。例えばカムが設けられたカム筒を用いてレンズ鏡筒を駆動する場合、カムとレンズ鏡筒のカムフォロアとの間にガタを有しているため付勢部材をカム筒とレンズ鏡筒の間に設ける手法が周知となっている。
【０００３】
しかし、付勢部材にコイルバネを使用した場合、せん断面となる端面がカム筒やレンズ鏡筒に食い込み、レンズ鏡筒とコイルバネ間の摺動性を損なうという問題があった。
【０００４】
特許文献１ではコイルバネとレンズ鏡筒の間に中間部材を設け、中間部材がコイルバネ端部の食い込みの相手を担っている。と同時にレンズ鏡筒と中間部材との間で摺動させる構造とすることで円滑な摺動回転を行う提案が開示されている。  
【先行技術文献】
【特許文献】
【０００５】
【特許文献１】特開平７−２１８８００号公報
【発明の概要】
【発明が解決しようとする課題】
【０００６】
しかしながら、上述の特許文献に開示された従来技術では、中間部材が増え、部品点数が増加することになる。つまり、コスト高、重量増加といった懸念が生じてしまう。
【０００７】
そこで、本発明の目的は、コイルバネを用い、回転するレンズ鏡筒を付勢するガタ取り機構において、部品点数を増やすことなくコイルバネ端部のせん断面によるコイルバネとレンズ鏡筒間の引っ掛かりを無くすことを可能にしたレンズ装置を提供することである。
【課題を解決するための手段】
【０００８】
本発明に係るレンズ装置の構成は、保持部材と、レンズ群を保持し前記保持部材に対して光軸周りに所定の角度で回転されるレンズ鏡筒と、前記保持部材と前記レンズ鏡筒の間に挟持され、前記保持部材又は前記レンズ鏡筒のどちらか一方と一体回転し、前記保持部材又は前記レンズ鏡筒の他方に設けられた複数の摺動面突起を所定の方向に付勢し、光軸を囲むように配置されたコイルバネと、 
を有する構成において、前記コイルバネ前記複数の摺動面突起側の終端部は、前記レンズ鏡筒が前記所定の角度で回転したとしても、前記複数の摺動面突起のうち光軸周りで隣り合った二つの摺動面突起の間に収まっていることを特徴とする。 
【発明の効果】
【０００９】
本発明によれば、コイルバネを用い、回転するレンズ鏡筒を付勢するガタ取り機構において、コイルバネ端部のせん断面によるコイルバネとレンズ鏡筒間の引っ掛かりを無くすことを可能にしたレンズ装置を提供することができる。
【図面の簡単な説明】
【００１０】
【図１】実施例１のレンズ装置の光軸方向の断面図
【図２】実施例１のレンズ装置の要所部の構成図
【図３】実施例１のレンズ装置のコイルバネ終端部と鏡筒摺動部との構成図
【図４】実施例１のレンズ装置のコイルバネ回転止め構成図
【図５】実施例２のレンズ装置の保持部材とコイルバネをカメラとは逆側から見た図
【発明を実施するための形態】
【００１１】
以下に、本発明の好ましい実施の形態を、添付の図面に基づいて詳細に説明する。
【００１２】
［実施例１］
図１は本発明のレンズ装置における光軸方向の断面図となっている。カメラ１と交換レンズ２はバヨネット機構で取り外し可能な構造となっている。交換レンズ２は第一レンズ群３、第二レンズ群４、第三レンズ群５、第四レンズ群６で構成されており、第二レンズ群４が合焦レンズ群となっている。
【００１３】
図２は図１中の本発明要所部、第二レンズ群４の拡大図を示している。レンズ鏡筒４０１はレンズ４００を保持している。また、保持部材４０２にはコロ４０２aが取り付けられており、レンズ鏡筒４０１のカム部４０１aに嵌合している。そしてレンズ鏡筒４０１はカム部４０１aに沿って保持部材４０２に対し回転繰り出しを行う構造となっている。また、コイルバネ４０３aがレンズ鏡筒４０１と保持部材４０２の間に挟持されており、レンズ鏡筒４０１を保持部材４０２に対し引き離す方向に力を加えている。
【００１４】
図３は第二レンズ群４の構成斜視図となっている。コイルバネ４０３には屈曲部４０３aが設けられており、保持部材４０２に設けられた嵌合穴４０２bに嵌ることでコイルバネ４０３は保持部材４０２に対し光軸周りの回転を規制されている。つまり、コイルバネ４０３の屈曲部４０３aとは逆の終端部４０３bは保持部材４０２に対し回転規制されていることとなる。本実施例では終端部４０３bは４０３aと光軸中心に同一位相にある。
【００１５】
図４は第二レンズ群４のレンズ鏡筒４０１とコイルバネ４０３をカメラ１側から見た図となっている。レンズ鏡筒４０１は摺動面４０１bを複数設けられておりコイルバネ４０３が摺動面４０１bと摺動する構成となっている。図４のコイルバネ４０３の屈曲部４０３aと終端部４０３bは本実施例では同位相となっており、レンズ鏡筒４０１が合焦駆動のため回転しても光軸周りに隣り合う摺動面４０１bの間の角度Ａ°の範囲に収まっている構成となっている。つまり角度Ａ°はレンズ鏡筒４０１の回転角度より大きくとる構成が必要となる。
【００１６】
これらによってコイルバネ４０３の終端部４０３bは第二レンズ群４が合焦駆動のため回転しても摺動部４０１bと接触することがない。よって交換レンズ２の第二レンズ群４はコイルバネ４０３によりカム部４０１aとコロ４０２aとのガタを抑え、なおかつバネ終端部４０３bのせん断面部とレンズ鏡筒４０１が接触することがないので、高潤滑な合焦駆動を行うことができる。また、コイルバネ４０３とレンズ鏡筒４０１との接触を摺動部４０１bに限ることで摺動の接触面積を減らすことができ、摩擦を抑えることができ、高い潤滑性能を有することができる。
【００１７】
［実施例２］
以下、図５を参照して、本発明の第２の実施例について説明する。本実施例では実施例１と比較してコイルバネと保持部材の回転規制の手法について言及している。
【００１８】
図５は保持部材４０２とコイルバネ７０３をカメラ１とは逆側から見た図となっている。コイルバネ７０３の終端部７０３aはコイルバネのコイル巻き径の接線方向へ延長されている。保持部材４０２にはコイルバネ７０３の外周に受け部４０２cが設けられており受け部４０２cとコイルバネ７０３の延長された終端部７０３aが嵌ることで回転規制となっている。このコイルバネ７０３の終端部７０３aはレンズ鏡筒４０１に接触することがなければコイルバネの両端部に設けてもかまわない。両端部に設けた場合はコイルバネの組みこみ方向を気にすることなく組みこみが可能となり、コイルバネの組みこみ方向チェックをする生産工程を省略できる。
【００１９】
以上、本発明の好ましい実施形態について説明したが、本発明はこれらの実施形態に限定されず、その要旨の範囲内で種々の変形及び変更が可能である。
【符号の説明】
【００２０】
１  カメラ、２  交換レンズ、４  第二レンズ群（合焦レンズ群）、
４０１  レンズ鏡筒、４０１a  カム部、４０１b  摺動面、４０２  保持部材、
４０２a  コロ、４０２b  嵌合穴、４０２c  受け部、
４０３  コイルバネ（実施例１）、４０３a  屈曲部、４０３b  終端部、
７０３  コイルバネ（実施例２）、７０３a  終端部
【図１】
2016029416.tif 000003
【図２】
2016029416.tif 000004
【図３】
2016029416.tif 000005
【図４】
2016029416.tif 000006
【図５】
2016029416.tif 000007